(57)【要約】【課題】複数のアンテナを搭載する通信装置に適用される当該アンテナに関し、アクティブ測定とパッシブ測定との双方を含む特性の測定を効率的に行うことができるようにしたマルチアンテナ測定システムを提供する。【解決手段】基地局装置に相当する測定用信号供給部３２０から発された信号を測定用アンテナ３１０から送信し、被測定アンテナ１１０で受信して移動通信端末装置相当の回路構成を有する被試験通信装置１００に入力するようにしてアクティブ測定を行う一方、被測定アンテナ１１０で受信した信号を分配器によって分岐させ、直接ベクトルシグナルアナライザ１２０に入力するようにしてパッシブ測定を行えるようにする。【選択図】      図１
2010117275.tif 000002
【特許請求の範囲】
【請求項１】
選択的に設定された取り付け姿勢を維持して被試験通信装置に適用する複数の被測定アンテナを保持するための可動式の保持機構を有する被測定アンテナ保持部と、
前記保持機構の経時的変位を制御する保持機構制御部と、
前記保持機構に保持された被測定アンテナに対応する測定用アンテナに測定用信号を供給する測定用信号供給部と、
前記測定用信号供給部の動作を制御する測定用信号供給制御部と、
前記被測定アンテナによって前記測定用アンテナから放射された電波を受信したときの前記被試験通信装置における実効受信電力および当該被測定アンテナ間の相関係数を解析する受信信号解析部と、
前記測定用アンテナから前記被測定アンテナに到る無線伝送路を含む信号伝送路の伝送容量特性を測定する伝送容量特性測定部と、
前記被試験通信装置、前記測定用信号供給制御部、および、受信信号解析部間での動作が同期するように管理する測定タイミング管理部と、
を備えたことを特徴とするマルチアンテナ測定システム。
【請求項２】
前記被測定アンテナ保持部は、その前記保持機構が当該被測定アンテナに回転変位を与えるように構成されていることを特徴とする請求項１に記載のマルチアンテナ測定システム。
【請求項３】
前記保持機構制御部は、保持機構制御用コンピュータを含んで構成され、該保持機構制御用コンピュータは、前記測定タイミング管理部としても機能することを特徴とする請求項１に記載のマルチアンテナ測定システム。
【請求項４】
前記測定用信号供給部は、移動通信における基地局が移動通信端末装置に向けて発する信号に相当する測定用信号を供給するように構成されていることを特徴とする請求項１に記載のマルチアンテナ測定システム。
【請求項５】
前記受信信号解析部は、ベクトルシグナルアナライザと該ベクトルシグナルアナライザを制御するベクトルシグナルアナライザ制御用コンピュータとを含んで構成されていることを特徴とする請求項１に記載のマルチアンテナ測定システム。
【請求項６】
前記伝送容量特性測定部は、前記測定用信号供給部制御部を構成する測定用信号供給部制御用コンピュータと、前記被試験通信装置を制御する被試験通信装置制御用コンピュータとを含んで構成されていることを特徴とする請求項１に記載のマルチアンテナ測定システム。
【請求項７】
前記測定タイミング管理部は、前記保持機構制御用コンピュータを主体として構成され、前記保持機構の各所定の変位位置に応じて、前記被試験通信装置、前記測定用信号供給制御部、および、前記受信信号解析部間での動作が同期するようにして、前記被測定マルチアンテナに関する各所定の測定が行われるような連係動作の実行を制御することを特徴とする請求項１に記載のマルチアンテナ測定システム。
【発明の詳細な説明】
【技術分野】
【０００１】
本発明は、例えばダイバーシチやＭＩＭＯ（Multi-Input Multi-Output）方式のように複数のアンテナを用いて情報を伝送する通信方式に適用されるアンテナの特性を測定するマルチアンテナ測定システムに関する。
【背景技術】
【０００２】
携帯電話に代表される移動通信端末装置に搭載される通信用途のアンテナは、従来単一のものが主流であった。
しかし、近年、ダイバーシチ或いはＭＩＭＯ方式のように複数のアンテナを用いて情報を伝送する通信技術の導入が図られ、通信の高速化、高品質化が一段と進展するようになりつつなる。
このような技術を適用した移動通信端末装置では、複数のアンテナを搭載したマルチアンテナの形態が採られる。
【０００３】
マルチアンテナの性能は、通信システムの伝送特性に多大な影響を与えるため、この種の通信送信に適用するマルチアンテナの開発は重要である。
また、種々の条件に応じた設計に基づいて試作されたマルチアンテナの性能を定量的に評価する測定システムが必要とされる。
より具体的には、アンテナを開発する過程を大別すると次の２つのフェーズが含まれている。
第一のフェーズは、アンテナの設計・開発フェーズであり、謂わば初期的フェーズである。
この第一のフェーズにおいては、目標とされるアンテナパラメータ（アンテナ利得、効率、および、相関係数等）を用いてアンテナ性能の設計上の最適化が図られる。
【０００４】
第二のフェーズは、アンテナ性能の確認フェーズであり、謂わば最終フェーズである。
この第二のフェーズでは、第一のフェーズにおけるアンテナの設計および開発のフェーズで試作されたアンテナの性能に関する最終的な確認をおこなうが、この確認に際しては、アンテナ単体ではなく無線回路と共に、乃至は、無線回路とベースバンド信号を含んでの試験を実施する。
このような試験に際して、単一のアンテナに関しては３ＧＰＰ（3rd Generation Partnership Project）において規定される実効放射電力（ＴＲＰ：Total Radiated Power）、実効受信感度（ＴＲＳ：Total Radiated Sensitivity）が測定される。
更に、マルチアンテナに関しては、実効受信電力、相関係数、および、伝送容量等が測定されるべき項目となる。
【０００５】
現在一般的に適用されているアンテナの測定方法は、大別すると次の２通りの方法である。
第一の方法はパッシブ測定である。このパッシブ測定では、アンテナ利得、相関係数が測定される。該測定には通常オフライン処理が採られる。
具体的には、ネットワークアナライザまたは信号発生器とスペクトラムアナライザを被測定アンテナおよび対向アンテナに接続し、対向アンテナから送受信した信号を被測定アンテナで送受信した際の信号の振幅および位相を測定する。
第二の方法は、アクティブ測定である。このアクティブ測定では、放射電力および受信電力が測定される。
【０００６】
具体的には、（模擬的な）基地局装置と移動通信端末装置との間で通信を確立し、この移動通信端末装置の送信性能を評価する。
即ち、移動通信端末装置における受信電力（ＲＳＣＰ：Received Signal Code Power）、受信品質（ＳＩＲ：Signai to Interference Retio）、誤り率（ＢＥＲ：Bit Error Rate）等を、当該移動通信端末装置から基地局装置に通知し、基地局装置で得られた情報を処理することによって、移動通信端末装置の受信性能の評価を行う。
【０００７】
一方、アンテナの性能を測定するに際して、効率的にこの測定を行おうとする技術が従来より種々提案されている。
例えば、被測定アンテナを回転機構に取り付け、この回転機構の複数の回転角度位置であるｎポイントの方位角に関してアンテナの仰角に対応した電力利得指向性の測定値と、アンテナに入射する到来波の仰角に対応した角密度関数から実効利得を算出するようにして測定時間を短縮するという提案がある（例えば、特許文献１参照）。
また、回転テーブル上に移動通信端末装置を固定し、放射パターン等の各種アンテナ特性とそれらの周波数特性を高速度に測定するといった技術の提案もある（例えば、特許文献２参照）。
【特許文献１】特開２０００−２１４２０１号公報（要約、段落００１３〜段落００１４等）
【特許文献２】特開２０００−３３８１５５号公報（要約、段落００１７〜段落００１８等）
【発明の開示】
【発明が解決しようとする課題】
【０００８】
既述の従来のアンテナ特性の測定技術では、アンテナ利得、アンテナ間の相関係数、放射電力、受信感度、および、伝送容量の測定・評価を同時に行うことができない。
即ち、従来の測定技術では、上述のパッシブ測定とアクティブ測定とを各別に実施する必要がある。
これは、複数のアンテナを搭載する移動通信端末装置のパッシブ測定を行う場合には、受信電力と位相とを測定するために、この測定に適したネットワークアナライザを用いるのが一般的であるのに対し、アクティブ測定にはネットワークアナライザを用いることができないということが大方の理由である。
【０００９】
アクティブ測定に際しては、実際に（例えば模擬的な）基地局装置と移動通信端末装置との間で通信を確立する必要があり、ネットワークアナライザを用いることがでないためにこのような状況を招来している。
尚、既存の単一のアンテナを搭載する移動通信端末装置に関する測定では、アンテナ間の相関係数の測定を本質的に要しないため、アクティブ測定とパッシブ測定との測定データは実際に大差が無く、双方の測定をそれぞれ実施しなくてはならないといった状況が生じていなかった。しかし、複数のアンテナを搭載する場合には、アクティブ測定とパッシブ測定との双方を行う必要があり、この点で単一のアンテナを搭載する場合とは根本的に状況を異にするといった背景もある。
【００１０】
また一方、アクティブ測定とパッシブ測定との双方を含むことを条件として、複数のアンテナを搭載する移動通信端末装置に関する測定の効率化を図ろうとする点ついては、上掲の何れの特許文献にも言及がない。
本発明はこのような状況に鑑みてなされたものであり、複数のアンテナを搭載する通信装置に適用される当該アンテナに関し、アクティブ測定とパッシブ測定との双方を含む特性の測定を効率的に行うことができるようにしたマルチアンテナ測定システムを提供することを目的とする。
【課題を解決するための手段】
【００１１】
上記課題を解決するべく、本願では次に列記するような技術を提案する。
（１）選択的に設定された取り付け姿勢を維持して被試験通信装置に適用する複数の被測定アンテナを保持するための可動式の保持機構を有する被測定アンテナ保持部と、
前記保持機構の経時的変位を制御する保持機構制御部と、
前記保持機構に保持された被測定アンテナに対応する測定用アンテナに測定用信号を供給する測定用信号供給部と、
前記測定用信号供給部の動作を制御する測定用信号供給制御部と、
前記被測定アンテナによって前記測定用アンテナから放射された電波を受信したときの前記被試験通信装置における実効受信電力および当該被測定アンテナ間の相関係数を解析する受信信号解析部と、
前記測定用アンテナから前記被測定アンテナに到る無線伝送路を含む信号伝送路の伝送容量特性を測定する伝送容量特性測定部と、
前記被試験通信装置、前記測定用信号供給制御部、および、前記受信信号解析部間での動作が同期するように管理する測定タイミング管理部と、
を備えたことを特徴とするマルチアンテナ測定システム。
【００１２】
上記（１）のマルチアンテナ測定システムでは、被測定アンテナ保持部において、被試験通信装置に適用する複数の被測定アンテナが、選択的に設定された取り付け姿勢を維持して可動式の保持機構に保持される。
また、保持機構制御部は、可動式の保持機構の経時的変位を制御する。
一方、測定用信号供給部は、前記保持機構に保持された被測定アンテナに対応する測定用アンテナに測定用信号を供給する。
【００１３】
この測定用信号供給部の動作を測定用信号供給制御部が制御する。
受信信号解析部において、前記被測定アンテナによって前記測定用アンテナから放射された電波を受信したときの前記被試験通信装置における実効受信電力および当該被測定アンテナ間の相関係数を解析する。
更に、伝送容量特性測定部では、前記測定用アンテナから前記被測定アンテナに到る無線伝送路を含む信号伝送路の伝送容量特性を測定する。
以上において、測定タイミング管理部が、前記被試験通信装置、前記測定用信号供給制御部、および、前記受信信号解析部間での動作が同期するように管理する。
【００１４】
（２）前記被測定アンテナ保持部は、その前記保持機構が当該被測定アンテナに回転変位を与えるように構成されていることを特徴とする（１）のマルチアンテナ測定システム。
上記（２）のマルチアンテナ測定システムでは、（１）のマルチアンテナ測定システムにおいて特に、前記被測定アンテナ保持部は、その前記保持機構が当該被測定アンテナに回転変位を与えるように構成され、被測定アンテナへの到来電波の方位を変更しつつ、特性の測定を行うことが可能になる。
【００１５】
（３）前記保持機構制御部は、保持機構制御用コンピュータを含んで構成され、該保持機構制御用コンピュータは、前記測定タイミング管理部としても機能することを特徴とする（１）のマルチアンテナ測定システム。
上記（３）のマルチアンテナ測定システムでは、（１）のマルチアンテナ測定システムにおいて特に、保持機構制御部の保持機構制御用コンピュータは前記測定タイミング管理部として、前記被試験通信装置、前記測定用信号供給制御部、および、受信信号解析部の間での動作が同期するように管理を行う。
【００１６】
（４）前記測定用信号供給部は、移動通信における基地局が移動通信端末装置に向けて発する信号に相当する測定用信号を供給するように構成されていることを特徴とする（１）のマルチアンテナ測定システム。
上記（４）のマルチアンテナ測定システムでは、（１）のマルチアンテナ測定システムにおいて特に、移動通信における基地局が移動通信端末装置に向けて発する信号に相当する測定用信号が前記測定用信号供給部から供給されて前記測定用アンテナから放射されるため、被試験通信装置が実際の使用状態にある場合におけるアンテナの特性を検証できる。
【００１７】
（５）前記受信信号解析部は、ベクトルシグナルアナライザ１２１と該ベクトルシグナルアナライザ１２１を制御するベクトルシグナルアナライザ制御用コンピュータとを含んで構成されていることを特徴とする（１）のマルチアンテナ測定システム。
上記（５）のマルチアンテナ測定システムでは、（１）のマルチアンテナ測定システムにおいて特に、ベクトルシグナルアナライザと該ベクトルシグナルアナライザを制御するベクトルシグナルアナライザ制御用コンピュータとを含んで前記受信信号解析部が構成されているため、速やかに的確な測定および解析が行われ得る。
【００１８】
（６）前記伝送容量特性測定部は、前記測定用信号供給部制御部を構成する測定用信号供給部制御用コンピュータと、前記被試験通信装置を制御する被試験通信装置制御用コンピュータとを含んで構成されていることを特徴とする（１）のマルチアンテナ測定システム。
上記（６）のマルチアンテナ測定システムでは、（１）のマルチアンテナ測定システムにおいて特に、前記測定用信号供給部制御部を構成する測定用信号供給部制御用コンピュータと、前記被試験通信装置を制御する被試験通信装置制御用コンピュータとを含んで前記伝送容量特性測定部が構成されているため、前記測定用アンテナから前記被測定アンテナに到る無線伝送路を含む信号伝送路の伝送容量特性を速やかに且つ的確に測定することができる。
【００１９】
（７）前記測定タイミング管理部は、前記保持機構制御用コンピュータを主体として構成され、前記保持機構の各所定の変位位置に応じて、前記被試験通信装置、前記測定用信号供給制御部、および、前記受信信号解析部間での動作が同期するようにして、前記被測定マルチアンテナに関する各所定の測定が行われるような連係動作の実行を制御することを特徴とする（１）のマルチアンテナ測定システム。
【００２０】
上記（７）のマルチアンテナ測定システムでは、（１）のマルチアンテナ測定システムにおいて特に、前記保持機構制御用コンピュータを主体として構成された前記測定タイミング管理部によって、前記保持機構の各所定の変位位置に応じて、前記被試験通信装置、前記測定用信号供給制御部、および、前記受信信号解析部間での動作が同期するようにして、前記被測定マルチアンテナに関する各所定の測定が行われるような連係動作の実行が制御されるため、被測定アンテナへの到来電波の方位を変更しつつ、的確なタイミングで該被測定アンテナに関する特性の測定を行うことが可能になる。
【発明の効果】
【００２１】
本発明によれば、複数のアンテナを搭載する通信装置に適用される当該アンテナに関し、アクティブ測定とパッシブ測定との双方を含む特性の測定を効率的に行うことができるようにしたマルチアンテナ測定システムが実現される。
【発明を実施するための最良の形態】
【００２２】
以下、図面を参照して本発明の実施の形態について詳述することにより本発明を明らかにする。
尚、以下に参照する各図では、本発明の要部に係わる部分については適宜誇張し、それ以外の部分については適宜簡略化され、ないしは、省略されている。
（マルチアンテナ測定システムの構成例）
図１は、本発明の一つの実施の形態としてのマルチアンテナ測定システムの構成を表す図である。
【００２３】
図１において、被試験通信装置１００に適用する複数（図示の場合は２本）の被測定アンテナ１１１および１１２を、例えば測定者によって選択的に設定された取り付け姿勢を維持して保持するための可動式の保持機構２１０を有する被測定アンテナ保持部２００が設けられている。尚、以下、複数の被測定アンテナ１１１および１１２を含むマルチアンテナを、総じて、適宜に、被測定アンテナ１１０と称する。
【００２４】
被試験通信装置１００は、例えば、移動通信端末装置やこれに相当する回路部を有するアンテナ測定試験用回路装置であり、この実施の形態では、被試験通信装置制御用コンピュータ１０１によってその動作が制御される。
保持機構２１０は、例えば、電動機によって回転変位するターンテーブルを備えた機構として構成され、保持機構制御部としての保持機構制御用コンピュータ２２０によって所定の回転速度を維持して回転するように制御される。
【００２５】
一方、保持機構に保持された被測定アンテナ１１０に対応する例えば複数のアンテナ３１１および３１２を含むマルチアンテナである測定用アンテナ３１０が設けられている。
この場合、測定用アンテナ３１０は既述の保持機構２１０と同様の保持機構４１０を有する測定アンテナ保持部４００に保持されている。
更に、この測定用アンテナ３１０に測定用信号を供給する測定用信号供給部３２０が設けられている。
【００２６】
測定用信号供給部３２０は、例えば、この測定において想定している移動通信における基地局が移動通信端末装置に向けて発する信号に相当する測定用信号を供給するように構成されており、上述のような基地局と同様の回路部を有する信号発生回路として構成され得る。
この実施の形態において、測定用信号供給部３２０は、測定用信号供給制御部をなす測定用信号供給制御用コンピュータ３３０によってその動作が制御されるように構成されている。
【００２７】
被測定アンテナ１１０の特性を測定するに際して、被測定アンテナ１１０および測定用アンテナ３１０間はダウンリンクの無線伝送路１０で結ばれる。
他方、被測定アンテナ１１０による受信信号は、この受信信号を解析するための受信信号解析部１２０に供給される一方、アイソレータ１３１および１３２、ならびに、その後段の各対応する可変アッテネータ１４１および１４２を介して被試験装置１００に供給される。
【００２８】
アイソレータ１３１および１３２は、被測定アンテナ１１０から被試験通信装置１００に向けて順方向となるように介挿され、可変アッテネータ１４１および１４２によって信号レベルが調整される。
受信信号解析部１２０は、例えばベクトルシグナルアナライザ１２１を適用して構成され、図示の例では、このベクトルシグナルアナライザ１２１はベクトルシグナルアナライザ制御用コンピュータ１２２によって制御されるように構成されている。
【００２９】
ベクトルシグナルアナライザ１２１と該ベクトルシグナルアナライザ１２１を制御するベクトルシグナルアナライザ制御用コンピュータ１２２とを含んで受信信号解析部１２０が構成されているため、速やかに的確な測定および解析が行われ得る。
受信信号解析部１２０は制御用コンピュータを内蔵したベクトルシグナルアナライザによって構成してもよい。
【００３０】
以上において、被測定アンテナ１１０とこれを保持する被測定アンテナ保持部２００および測定用アンテナ３１０とこれを保持する測定アンテナ保持部４００は所定の電波暗室２０の中に設置され、従って、無線伝送路１０もこの電波暗室２０内に生じる。
他方、被測定アンテナ１１０の後段の既述のアイソレータ１３１および１３２と可変アッテネータ１４１および１４２との中間位置から導出された信号が可変アッテネータ１４3およびアイソレータ１３３をこの順に介挿して測定用信号供給部３２０に向けて伝送されるアップリンクの有線伝送路３０が設けられている。
【００３１】
アイソレータ１３３は、被測定試験通信装置１００から測定用信号供給部３２０に向けて順方向となる極性で伝送路２０に介挿されている。
測定用信号供給部３２０および測定用信号供給制御部（測定用信号供給制御用コンピュータ３３０）を含む試験用信号の送信側と、被試験通信装置１００およびと被試験通信装置制御用コンピュータ１０１を含む試験用信号の受信側とは、既述のように、ダウンリンクが無線伝送路１０で結ばれアップリンクが有線伝送路３０で結ばれている。
【００３２】
上述のように結ばれた、測定用信号供給部３２０および測定用信号供給制御用コンピュータ３３０を含む試験用信号の送信側と、被試験通信装置１００およびと被試験通信装置制御用コンピュータ１０１を含む試験用信号の受信側とによって、測定対象である無線伝送路１０を含む信号伝送路の伝送容量特性を測定する伝送容量測定部４０が構成されている。
【００３３】
一方、保持機構制御用コンピュータ２２０は、破線図示のように、ベクトルシグナルアナライザ制御用コンピュータ１２２、被試験通信装置制御用コンピュータ１０１、および、測定用信号供給制御用コンピュータ３３０と、例えばＬＡＮによって、連係可能に結ばれている。
上述のような連係によって、保持機構２１０の各所定の変位位置に応じて、被試験通信装置１００、測定用信号供給制御部３３０、および、受信信号解析部１２０間での動作が同期するようにして、マルチアンテナである被測定アンテナ１１０に関する各所定の測定が行われるような連係動作の実行が制御される。
【００３４】
即ち、保持機構制御用コンピュータ２２０を主体とする上述のような連係各部によって、本マルチアンテナ測定システムにおける測定タイミング管理部５０が構成されている。
尚、測定タイミング管理部５０は、上述のように保持機構制御用コンピュータ２２０を主体として構成する他、上述の各コンピュータを統括するスーパーバイザとして機能するサーバーコンピュータにこのような測定タイミングの管理機能を委ねる構成を採ることも可能である。
【００３５】
（マルチアンテナ測定システムの動作）
次に、図１のマルチアンテナ測定システムの動作について説明する。
先ず、模擬的な基地局装置として機能する測定用信号供給部３２０から供給される信号を測定用アンテナ３１０から放射し、該放射された信号が被試験通信装置１００の被測定アンテナ１１０で受信されるような通信を確立する。
既述のように、測定用信号供給部３２０から供給される信号は、この測定において想定している移動通信における基地局が移動通信端末装置に向けて発する信号に相当する測定用信号である。
【００３６】
移動通信における基地局が移動通信端末装置に向けて発する信号に相当する測定用信号が測定用信号供給部３２０から供給されて測定用アンテナ３１０から放射されるため、被試験通信装置１００が実際の使用状態にある場合におけるアンテナ１１０の特性を検証できる。
上述のような通信の確立は、測定用信号供給制御用コンピュータ３３０と被試験通信装置制御用コンピュータ１０１との連係によって行われる。
【００３７】
尚、この場合における連係のタイミングは測定タイミング管理部５０として機能する保持機構制御用コンピュータ２２０主導で調整される。
上述の通信が確立し、ダウンリンクの無線通信路１０を通して伝送された測定用信号は、アイソレータ１３１，１３２および可変アッテネータ１４１，１４２を通して被試験通信装置１００に入力される。
【００３８】
また、既述のとおり、被試験通信装置１００から被測定信号供給部３２０に向けてアップリンクの有線伝送路３０が設けられており、測定用信号供給制御用コンピュータ３３０と被試験通信装置制御用コンピュータ１０１との連係が行われる。
上述のダウンリンクとアップリンクとは、アイソレータ１３１，１３２によって分離され双方の混信が抑止され、また、既述のようにアップリンクの信号レベルは可変アッテネータ１４１および１４２によって調整される。
【００３９】
以上のようにして通信が確立した状態で、測定用信号供給制御用コンピュータ３３０側から被試験通信装置制御用コンピュータ１０１側に向けて所定の試験用データの伝送を開始する。
尚、通信方式としてＦＤＤ（Frequency Division Duplex：周波数分割複信）が採られる場合は送受信を分離する必要はないため、以下の説明は、ＴＤＤ（Time Division Duplex：時分割複信）が採られた場合に該当する。
【００４０】
通信確立後、保持機構制御部をなす保持機構制御用コンピュータ２２０による制御下で被測定アンテナ保持部２００における保持機構２１０の回転駆動を開始する。
保持機構２１０の回転、従って、被測定アンテナ１１０（１１１および１１２）の回転に伴なって、各所定の回動位置において、実行受信電力、アンテナ間の相関係数、伝送容量特性を測定する。
【００４１】
この測定に際しては、測定タイミング管理部５０としても機能する保持機構制御用コンピュータ２２０による制御下で、ベクトルシグナルアナライザ制御用コンピュータ１２２、被試験通信装置制御用コンピュータ１０１、および、測定用信号供給制御用コンピュータ３３０における所定動作間での適切な同期が図られる。
この実施の形態において、伝送容量特性の測定は、次のようにして実行される。
【００４２】
伝送容量測定部をなす測定用信号供給制御用コンピュータ３３０による制御下で、容量の大きいデータ（このデータが表す内容の如何は問わない或るファイル）を測定用信号供給部（例えば、模擬的な基地局）から無線伝送路１０および被測定アンテナ１１０を通して被試験通信装置１００にダウンロードする。
容量の大きいデータをダウンロードするため一定の時間に亘ってダウンロードが継続的に実行されることになる。
【００４３】
このダウンロードが継続している期間内に被試験通信装置制御用コンピュータ１０１において、伝送容量を測定する。
尚、伝送容量の測定は上述のような方法の他、測定用信号供給制御用コンピュータ３３０と被試験通信装置制御用コンピュータ１０１との双方に通信容量測定用のアプリケーションソフトウェア（例えばiperf）をインストールしておき、このようなアプリケーションソフトウェアによる機能を用いて伝送容量の測定を行うようにしてもよい。
【００４４】
上述の伝送容量の測定値は、被測定アンテナ１１０の性能のみに依存する。従って、伝送容量の測定値から被測定アンテナ１１０の性能を評価することが可能である。
被測定アンテナ１１０で受信した信号は、被試験通信装置１００に入力されると共に、分配器（不図示）によって分配されて受信信号解析部をなすベクトルシグナルアナライザ１２０にも入力される。
【００４５】
この構成を既述のアクティブ測定とパッシブ測定との何れに該当するかの視点で考察する。
例えば基地局装置に相当するような実際の無線装置相当の機器（測定用信号供給部３２０）から発された信号を測定用アンテナ３１０から送信し、被測定アンテナ１１０で受信して被試験通信装置１００に入力する部分については、アクティブ測定のための構成に該当する。
【００４６】
一方、被測定アンテナ１１０で受信した信号を分配器によって分岐させ、直接ベクトルシグナルアナライザ１２０に入力する部分については、パッシブ測定のための構成に該当する。
従って、図１のマルチアンテナ測定システムでは、アクティブ測定に該当する部分とパッシブ測定に該当する部分とが混在して、双方の測定を同時に行うことができる。
【００４７】
従って、アクティブ測定時とパッシブ測定時とで測定用接続を組み直す等の操作を要さず、測定用システム構築および再構築を行うといった手間が省かれ、測定時間の短縮と測定精度の向上が期待できる。
尚、既述のような形態で図示のアイソレータ１３１および１３２が設けられているため、模擬的な移動通信端末装置であり得る被試験通信装置１００から発された信号がベクトルシグナルアナライザ１２０にも入力されることは抑止される。
【００４８】
このベクトルシグナルアナライザ１２０によって、被測定アンテナ１１０で受信される実効受信電力およびアンテナ間（被測定アンテナ１１１および１１２間）の相関係数がリアルタイムで取得される。
以上の結果、被測定アンテナ１１０（１１１および１１２）に関する、実効受信電力およびアンテナ間の相関係数、ならびに、伝送容量が測定されて取得され、これらの測定値に基づいて被測定アンテナ１１０の性能が的確に評価される。
【００４９】
既述のように、保持機構制御用コンピュータ２２０は、破線によって概念的に図示されている如く、ベクトルシグナルアナライザ制御用コンピュータ１２２、被試験通信装置制御用コンピュータ１０１、および、測定用信号供給制御用コンピュータ３３０と連係可能に結ばれている。
また、このような連係を通して、各測定値は保持機構制御用コンピュータ２２０によって収集され、被測定アンテナ１１０の性能評価に供される。
【００５０】
（測定結果の例と被測定アンテナの性能評価）
図２乃至図５は、図１を参照して説明したマルチアンテナ測定システムにおける測定結果を例示する図である。
このうち、図２は、保持機構２１０の回動角に対する伝送容量を表し、図３は保持機構２１０の回動角に対する受信電力を表し、図４は保持機構２１０の回動角に対する一方の被測定アンテナ１１１の実効受信電力、図５は保持機構２１０の回動角に対する他方の被測定アンテナ１１２の実効受信電力をそれぞれ表している。
【００５１】
図２乃至図５の如く現れた現象について考察する。伝送容量特性に係るデータからアンテナのスループット（throughput）に注目すると、回動角９０度の付近で落ち込んでいることが観察される。
この要因を追求するために、各被測定アンテナ１１１および１１２の実効受信電力（RSCP…図４、図５）および相関係数（correlation…図２）確認すると、実効受信電力が回動角によらす略一定であるのに対し、相関係数は回動角９０度の付近で高くなっている。
以上の結果から、伝送特性の劣化の要因として相関係数の上昇が挙げられることが判明する。
【産業上の利用可能性】
【００５２】
本発明は、複数のアンテナを搭載する通信装置に適用される当該アンテナに関し、アクティブ測定とパッシブ測定との双方を含む特性の測定を効率的に行うことができるようにしたマルチアンテナ測定システムの実現に利用することができる。
【図面の簡単な説明】
【００５３】
【図１】本発明の一つの実施の形態としてのマルチアンテナ測定システムの構成を表す図である。
【図２】図１のマルチアンテナ測定システムによる伝送容量に関する測定結果の一例を表す図である。
【図３】図１のマルチアンテナ測定システムによる相関係数に関する測定結果の他の例を表す図である。
【図４】図１のマルチアンテナ測定システムによる受信電力の測定結果の一例を表す図である。
【図５】図１のマルチアンテナ測定システムによる受信電力の測定結果の他の例を表す図である。
【符号の説明】
【００５４】
１０…無線伝送路（ダウンリンク）
２０…電波暗室
３０…有線伝送路（アップリンク）
４０…伝送容量測定部
５０…測定タイミング管理部
１００…被試験通信装置
１０１…被試験通信装置制御用コンピュータ
１１０…被測定アンテナ（マルチアンテナ）
１１１…被測定アンテナ
１１２…被測定アンテナ
１２０…受信信号解析部
１２１…ベクトルシグナルアナライザ
１２２…ベクトルシグナルアナライザ制御用コンピュータ
１３１…アイソレータ
１３２…アイソレータ
１３３…アイソレータ
１４１…可変アッテネータ
１４２…可変アッテネータ
１４３…可変アッテネータ
２００…被測定アンテナ保持部
２１０…保持機構
３１０…測定アンテナ（マルチアンテナ）
３１１…測定アンテナ
３１２…測定アンテナ
３２０…測定用信号供給部
３３０…測定用信号供給制御部（測定用信号供給制御用コンピュータ）
４００…測定アンテナ保持部
４１０…保持機構
【図１】
2010117275.tif 000003
【図２】
2010117275.tif 000004
【図３】
2010117275.tif 000005
【図４】
2010117275.tif 000006
【図５】
2010117275.tif 000007